(57)【特許請求の範囲】
【請求項１】
天面フラップを備える天面と、前記天面と対向して底面フラップを備える底面と、サイドフラップを備える１対の側面と、が稜線で折り曲げられ、前記天面と１つの前記側面の間の稜線が接合部となるように形成されるラップアラウンド式の梱包箱であって、
前記天面には、
前記接合部となる前記稜線から、対向する他の前記稜線に向かって前記天面フラップに沿った横方向に延びて当該天面を折り曲げ容易にする天面折り曲げ線と、
前記他の稜線側で隣接する前記天面フラップと前記サイドフラップの間に形成されるスリットから前記天面折り曲げ線まで切り込み部を形成するための天面破断線と、が形成され、
前記底面には、
前記底面フラップと、隣接する２つの前記サイドフラップと、の間に形成される２つのスリットからそれぞれ切り込み部を形成するための２つの底面破断線が形成され、
２つの前記底面破断線と前記天面破断線は、前記稜線に沿った縦方向において同じ側に形成され、
前記天面破断線に沿った切り込み部が形成された前記天面が前記天面折り曲げ線に沿って折り曲げられ、前記底面に２つの前記底面破断線に沿った２つの切り込み部が形成された状態で、全ての収納品の収納状態を維持できることを特徴とするラップアラウンド式の梱包箱。
【請求項２】
２つの前記底面破断線の前記縦方向の長さが前記天面破断線の前記縦方向の長さより短いことを特徴とする請求項１に記載のラップアラウンド式の梱包箱。
【請求項３】
前記天面フラップが備わる前記天面の端辺から当該天面の前記縦方向の長さの１／４以下となる位置に前記天面折り曲げ線が形成されていることを特徴とする請求項１または請求項２に記載のラップアラウンド式の梱包箱。
【請求項４】
前記天面フラップが備わる前記天面の端辺から当該天面の前記縦方向の長さの１／６以上となる位置に前記天面折り曲げ線が形成されていることを特徴とする請求項３に記載のラップアラウンド式の梱包箱。
【請求項５】
前記天面破断線が直線状に、かつ、前記他の稜線側で隣接する前記天面フラップと前記サイドフラップの間に形成されるスリットから前記縦方向に対して０度より大きい第１角度をなして斜めに形成され、
２つの前記底面破断線のそれぞれが直線状に、かつ、前記底面フラップと隣接する２つの前記サイドフラップの間に形成される２つのスリットのそれぞれから、前記縦方向に対して０度より大きい第２角度をなして斜めに形成されていることを特徴とする請求項１乃至請求項４のいずれか１項に記載のラップアラウンド式の梱包箱。
【請求項６】
前記第１角度および前記第２角度が３０度より小さいことを特徴とする請求項５に記載のラップアラウンド式の梱包箱。
【発明の詳細な説明】
【技術分野】
【０００１】
本発明は、商品を包み込んで梱包するラップアラウンド式の梱包箱に関する。
【背景技術】
【０００２】
保管や輸送のためにビールなどの缶入り製品を収納して包装する梱包箱として、例えば特許文献１、２に開示されるようなダンボール素材のラップアラウンド式の梱包箱が知られている。
【０００３】
このような梱包箱は組み立て形状が略直方体形状を呈する。そして、収納される缶入り製品の底部側の面を底面、底面に対向する面を天面とし、底面と天面の対向する２辺が側面で連結されて形成される。
また側面が形成されない天面および底面の２辺は、それぞれ互いの方向に折れ曲がってフラップを形成し、利用者はフラップを開いて収納された缶入り製品を取り出すように構成される。
しかしながら、収納された缶入り製品が輸送途中などに梱包箱内で揺れ動かないように、缶入り製品は互いに接近して隙間なく梱包箱に収納されるため、利用者がフラップを開いた開口部から缶入り製品を取り出しにくいという問題がある。
【０００４】
そこで、缶入り製品を取り出しやすくするため、例えば特許文献１、２に示されるように、フラップとともに天面あるいは底面の一部が大きく開くように形成されるラップアラウンド式の梱包箱が知られている。
【先行技術文献】
【特許文献】
【０００５】
【特許文献１】特開２００６−０７６５８８号公報
【特許文献２】特開２００４−２５００１６号公報
【発明の概要】
【発明が解決しようとする課題】
【０００６】
例えば、特許文献１に開示される梱包箱（ラップアラウンドケース）はフラップの中央部とともに天面の一部が開くように構成される。この構成によると、利用者はフラップを破断するように梱包箱を開くためフラップを破断する力が必要になる。このため、フラップを破断するための破断線（ミシン目等）が形成されていても、利用者が梱包箱を開きにくいという問題がある。
また、フラップ同士の糊付けを剥がさないようにフラップを抑えながらフラップの中央部を破断して開く必要があり、この点においても利用者が梱包箱を開きにくい。
また、複数の缶入り製品が１つにまとめられたマルチパックが梱包箱に収納されている場合、フラップの中央部のみが開く構造ではマルチパックを取り出すことができない。
【０００７】
また特許文献２に開示される梱包箱（包装材）は、フラップとともに広面部が大きく切り裂かれるように開くため、収納される缶入り製品を広面部でホールドできなくなって缶入り製品を好適に収納できず、さらに、広面部が開いた後の梱包箱は強度が低下することから梱包箱としての機能が喪失するという問題がある。
【０００８】
そこで、本発明は、利用者が収納品を取り出しやすい状態に容易に開くことができ、かつ、開かれた状態であっても収納品の収納状態を維持できるラップアラウンド式の梱包箱を提供することを課題とする。
【課題を解決するための手段】
【０００９】
前記課題を解決するため、本発明は、天面フラップを備える天面と、前記天面と対向して底面フラップを備える底面と、サイドフラップを備える１対の側面と、が稜線で折り曲げられ、前記天面と１つの前記側面の間の稜線が接合部となるように形成されるラップアラウンド式の梱包箱とする。そして、前記天面には、前記接合部となる前記稜線から、対向する他の前記稜線に向かって前記天面フラップに沿った横方向に延びて当該天面を折り曲げ容易にする天面折り曲げ線と、前記他の稜線側で隣接する前記天面フラップと前記サイドフラップの間に形成されるスリットから前記天面折り曲げ線まで切り込み部を形成するための天面破断線と、が形成され、前記底面には、前記底面フラップと、隣接する２つの前記サイドフラップと、の間に形成される２つのスリットからそれぞれ切り込み部を形成するための２つの底面破断線が形成され、２つの前記底面破断線と前記天面破断線は、前記稜線に沿った縦方向において同じ側に形成され、前記天面破断線に沿った切り込み部が形成された前記天面が前記天面折り曲げ線に沿って折り曲げられ、前記底面に２つの前記底面破断線に沿った２つの切り込み部が形成された状態で、全ての収納品の収納状態を維持できることを特徴とする。
【発明の効果】
【００１０】
本発明によると、利用者が収納品を取り出しやすい状態に容易に開くことができ、かつ、開かれた状態であっても収納品の収納状態を維持できるラップアラウンド式の梱包箱を提供できる。
【図面の簡単な説明】
【００１１】
【図１】（ａ）はマルチパックが収納された梱包箱を示す図、（ｂ）は梱包箱にマルチパックを収納する工程を示す図である。
【図２】梱包箱の展開図である。
【図３】（ａ）は天面開口部が開いた状態の天面を示す図、（ｂ）は底面破断線に沿って切り込み部が形成された底面を示す図である。
【図４】は、スリットに連続して形成される天面破断線を示す図である。
【発明を実施するための形態】
【００１２】
以下、本発明の実施形態について、適宜図を参照して詳細に説明する。
図１の（ａ）に示すように、本実施形態に係るラップアラウンド式の梱包箱１は、缶入り製品２（缶ビールなど）が、包装材３ａで包装されて、例えば６缶まとめられたマルチパック３を収納品として収納する梱包箱であり、一例として４つのマルチパック３が収納される梱包箱１とする。
マルチパック３が収納されて組み立てられた梱包箱１は略直方体形状であり、缶入り製品２の底部側の平面を底面１ｂとし、底面１ｂと対向する平面を天面１ａとする。そして、底面１ｂと天面１ａのそれぞれ対向する２辺が１対の対向する側面１ｃで接続されて形成される。
【００１３】
なお、梱包箱１の収納品であるマルチパック３は、缶ビールなど缶入り製品２のマルチパック３に限定されず、容器に製品が封入されている容器入り製品が包装材３ａで１つにまとめられたマルチパック３であればよい。
また、１つのマルチパック３に含まれる缶入り製品２の数および梱包箱１に収納されるマルチパック３の数は限定されるものではない。
例えば、４つの缶入り製品２が包装材３ａで包装されたマルチパック３が梱包箱１に６個収納される形態や、２つの缶入り製品２が包装材３ａで包装されたマルチパック３が梱包箱１に１２個収納される形態などであってもよく、マルチパック３に含まれる缶入り製品２の数や梱包箱１に収納されるマルチパック３の数は限定されない。
【００１４】
天面１ａおよび底面１ｂと側面１ｃの間を稜線とし、天面１ａと２つの側面１ｃの間を第１稜線１１ａ、第２稜線１１ｂと称し、底面１ｂと側面１ｃの間を底面側稜線１１ｃと称する。なお、第２稜線１１ｂは天面１ａと１つの側面１ｃが折れ曲がって形成される稜線とし、第１稜線１１ａは天面１ａと１つの側面１ｃが接合する接合部が形成される稜線とする。また、底面側稜線１１ｃは底面１ｂと２つの側面１ｃがそれぞれ折れ曲がって形成される２つの稜線とする。
【００１５】
また、側面１ｃが接続されない天面１ａの端辺（つまり、第１稜線１１ａおよび第２稜線１１ｂと直交する端辺）には、底面１ｂの側に折れ曲がる天面フラップ１０ａが接続されて備わる。以下、第１稜線１１ａおよび第２稜線１１ｂと直交して天面フラップ１０ａが接続されて備わる端辺を天面横方向端辺１２ａと称する。そして、天面フラップ１０ａは天面横方向端辺１２ａを折れ線として底面１ｂの側に折れ曲がるように形成される。
同様に、側面１ｃが接続されない底面１ｂの端辺（つまり、２つの底面側稜線１１ｃと直交する端辺）には、天面１ａの側に折れ曲がる底面フラップ１０ｂが接続されて備わる。以下、２つの底面側稜線１１ｃと直交して底面フラップ１０ｂが接続されて備わる端辺を底面横方向端辺１２ｂと称する。そして、底面フラップ１０ｂは底面横方向端辺１２ｂを折れ線として天面１ａの側に折れ曲がるように形成される。
【００１６】
そして、天面フラップ１０ａと底面フラップ１０ｂは互いに観音開きに開いて、例えば、梱包箱１に収納された缶入り製品２（マルチパック３）を取り出すための開口部となる。
なお、符号１０ｃは、側面１ｃの端部がそれぞれ対向する側面１ｃの側に折れ曲がって形成されるサイドフラップである。また、マルチパック３の符号３ｂは、利用者がマルチパック３を持つときに指等を差し込む手持用孔（フィンガーホール）である。フィンガーホール３ｂは、例えば、Ｄ型の穴が中央部を挟んで対称に２つ並んで開口する形状が知られている。
そして、マルチパック３は２穴で形成されるフィンガーホール３ｂが天面１ａに向けられた状態で、かつ、各稜線（第１稜線１１ａ、第２稜線１１ｂ、底面側稜線１１ｃ）の方向に２穴が並ぶように梱包箱１に収納される。
【００１７】
以下、天面１ａにおける第１稜線１１ａ、第２稜線１１ｂおよび底面１ｂにおける２つの底面側稜線１１ｃに沿った方向、つまり稜線に沿った方向を縦方向Ｌｎ、天面フラップ１０ａが備わる天面横方向端辺１２ａおよび底面フラップ１０ｂが備わる底面横方向端辺１２ｂに沿った方向、つまり天面フラップ１０ａ（底面フラップ１０ｂ）に沿った方向を横方向Ｓｉ、天面１ａと底面１ｂの間の方向を高さ方向Ｈｔとする。
つまり本実施形態において、マルチパック３は２穴で形成されるフィンガーホール３ｂが天面１ａに向けられた状態で縦方向Ｌｎに並ぶように梱包箱１に収納される。
【００１８】
図１の（ｂ）に示すように、缶入り製品２の箱詰め工程においては所定数（例えば４つ）のマルチパック３が押し込み機構１００によって、平面状に展開している梱包箱１の底面１ｂに載せられる。このとき、例えば、マルチパック３は横方向Ｓｉに２列、縦方向Ｌｎに２段に配置されて底面１ｂに載せられる。
その後、図示しない梱包装置によって、天面１ａがマルチパック３の上方に重なるように、平面状に展開している梱包箱１が折り曲げられて箱型状に形成され、マルチパック３が梱包箱１に収納される。
さらに、天面フラップ１０ａ、底面フラップ１０ｂ、サイドフラップ１０ｃが各折れ線で適宜折り曲げられて、マルチパック３が収納された梱包箱１が形成される。
なお、天面１ａに接続される側面１ｃの端部には貼り合せ面１ｄが形成され、貼り合せ面１ｄと天面１ａが重なって糊付け等によって貼着される。この場合、貼り合せ面１ｄは、天面１ａに対して梱包箱１ａの内側となる位置で重なる構成が好ましい。
また、天面フラップ１０ａ、底面フラップ１０ｂおよびサイドフラップ１０ｃは適宜糊付け等によって貼着される。
【００１９】
本実施形態に係るラップアラウンド式の梱包箱１はダンボールを素材とし、図２に示すように展開するダンボール材が適宜折り曲げられて形成される。なお、図２は、例えば梱包箱１の外側となる面から見た図である。
【００２０】
天面１ａとなる平面Ｓ１と底面１ｂとなる平面Ｓ２は同型の略矩形（長方形）であり、便宜上、長辺を縦方向Ｌｎとし短辺を横方向Ｓｉとする。なお、梱包箱１に収納されるマルチパック３の大きさや数によって縦方向Ｌｎと横方向Ｓｉは適宜設定可能とする。
そして、平面Ｓ１と平面Ｓ２の一方の長辺側が延長して連続した平面Ｓ３Ａが形成される。この平面Ｓ３Ａは、梱包箱１の一方の側面１ｃとなる。また、例えば平面Ｓ２の他方の長辺側は延長して連続した平面Ｓ３Ｂが形成される。この平面Ｓ３Ｂは、梱包箱１の他方の側面１ｃとなる。
つまり、梱包箱１（図１の（ａ）参照）を展開すると、図２に示すように右方から、平面Ｓ１（天面１ａ）、平面Ｓ３Ａ（側面１ｃ）、平面Ｓ２（底面１ｂ）、平面Ｓ３Ｂ（側面１ｃ）の順に連続して配置される。
【００２１】
また、平面Ｓ３Ｂにおいて、平面Ｓ２の長辺と平行に形成される端辺側には貼り合せ面１ｄとなる平面Ｓ４が連続して形成される。平面Ｓ４（貼り合せ面１ｄ）は天面１ａとなる平面Ｓ１と重なるように折り曲げられ、塗布された貼着剤（糊など）によって平面Ｓ１に貼着される。
【００２２】
平面Ｓ１の２つの短辺側はそれぞれ延長して、天面フラップ１０ａとなる平面Ｓ１Ｆが形成され、平面Ｓ２の２つの短辺側はそれぞれ延長して、底面フラップ１０ｂとなる平面Ｓ２Ｆが形成される。
また、平面Ｓ３Ａ、Ｓ３Ｂにおいて、平面Ｓ１、Ｓ２の短辺の延長上の端辺側は延長して、サイドフラップ１０ｃとなる平面Ｓ３Ｆが形成される。
なお、梱包箱１（図１の（ａ）参照）において、天面フラップ１０ａおよび底面フラップ１０ｂは折り曲げられたサイドフラップ１０ｃと重なるように折り曲げられて適宜貼着される。
【００２３】
そして、連続する各平面の間には折り曲げ線Ｌ１（破線）が形成される。折り曲げ線Ｌ１は、例えば梱包箱１（図１の（ａ）参照）の素材となるダンボール材の厚み方向が線状に薄くなるように形成された凹部であり、缶入り製品２（図１の（ａ）参照）の箱詰め工程において容易に折り曲げられるように構成される。
なお、符号Ｌ１ａは平面Ｓ１と平面Ｓ３Ａの間の折り曲げ線、符号Ｌ１ｂは平面Ｓ３Ａと平面Ｓ２の間の折り曲げ線、符号Ｌ１ｃは平面Ｓ２と平面Ｓ３Ｂの間の折り曲げ線、符号Ｌ１ｄは平面Ｓ３Ｂと平面Ｓ４の間の折り曲げ線、符号Ｌ１ｅは平面Ｓ１と平面Ｓ１Ｆの間の折り曲げ線、符号Ｌ１ｆは平面Ｓ２と平面Ｓ２Ｆの間の折り曲げ線、をそれぞれ示している。
【００２４】
折り曲げ線Ｌ１ａ、Ｌ１ｄは、梱包箱１（図１の（ａ）参照）として組み立てられたときに、それぞれ第２稜線１１ｂ、第１稜線１１ａとなり、折り曲げ線Ｌ１ｂ、Ｌ１ｃはそれぞれ底面側稜線１１ｃとなる。
また、平面Ｓ１と平面Ｓ１Ｆ（天面フラップ１０ａ）の間の折り曲げ線Ｌ１ｅは天面横方向端辺１２ａとなり、平面Ｓ２と平面Ｓ２Ｆ（底面フラップ１０ｂ）の間の折り曲げ線Ｌ１ｆは底面横方向端辺１２ｂとなる。
【００２５】
また、図２に示すように、展開した梱包箱１（図１の（ａ）参照）において、平面Ｓ１Ｆ（天面フラップ１０ａ）、平面Ｓ３Ｆ（サイドフラップ１０ｃ）、平面Ｓ２Ｆ（底面フラップ１０ｂ）、平面Ｓ３Ｆ（サイドフラップ１０ｃ）は横並びに形成され、平面Ｓ１Ｆと平面Ｓ３Ｆの間および平面Ｓ２Ｆと平面Ｓ３Ｆの間には、適宜な幅のスリットＳＬが形成される。
スリットＳＬは、平面Ｓ１と平面Ｓ３Ａ、平面Ｓ３Ａと平面Ｓ２、平面Ｓ２と平面Ｓ３Ｂの間にそれぞれ形成される折り曲げ線Ｌ１の延長上に形成され、天面フラップ１０ａおよび底面フラップ１０ｂがサイドフラップ１０ｃに干渉することなく折り曲げられるように構成される。
【００２６】
そして、本実施形態に係る梱包箱１（図１の（ａ）参照）には、図２に示すように、天面１ａとなる平面Ｓ１に、ミシン目で形成される破断線（天面破断線Ｌ２）および天面破断線Ｌ２と接続される折り曲げ線（天面折り曲げ線Ｌ３）が形成される。
【００２７】
天面破断線Ｌ２は、天面横方向端辺１２ａとなる折り曲げ線Ｌ１ｅと、第２稜線１１ｂとなる折り曲げ線Ｌ１ａと、の交点におけるスリットＳＬの端部から平面Ｓ１上に延びる直線であり、折り曲げ線Ｌ１ａと所定の角度（この角度を第１角度θ１と称する）をなしていることが好ましい。つまり、天面破断線Ｌ２は、縦方向Ｌｎ（第２稜線１１ｂ）に対して所定の第１角度θ１をなして形成されることが好ましい。
【００２８】
また、天面破断線Ｌ２と接続される天面折り曲げ線Ｌ３は、接合部が形成される端辺（長辺）から、当該端辺と対抗する折り曲げ線Ｌ１ａに向かって、天面フラップ１０ａの折り曲げ線Ｌ１ｅと略平行に延びるように形成されることが好ましい。図１の（ａ）に示すように組み立てられた梱包箱１において、図２に示す平面Ｓ１は天面１ａとなり、天面１ａと側面１ｃの間の第１稜線１１ａは接合部が形成される稜線となる。また、平面Ｓ１と平面Ｓ３Ａの間の折り曲げ線Ｌ１ａは、第１稜線１１ａと対向し、接合部が形成されない他の稜線（第２稜線１１ｂ）となる。このことから、天面折り曲げ線Ｌ３は、接合部が形成される第１稜線１１ａから、第１稜線１１ａと対向して接合部が形成されない他の稜線（第２稜線１１ｂ）に向かって、天面フラップ１０ａ（天面横方向端辺１２ａ）と略平行に延びるように形成され、天面１ａを折り曲げ容易にする。
また、天面破断線Ｌ２は、接合部が形成されない他の稜線（第２稜線１１ｂ）で隣接するサイドフラップ１０ｃと天面フラップ１０ａの間のスリットＳＬから天面折り曲げ線Ｌ３まで天面１ａに切り込み部を形成するための破断線となる。
【００２９】
天面１ａは、対向した２つの天面横方向端辺１２ａを有するが、天面破断線Ｌ２は、天面横方向端辺１２ａの一方の側に形成されていればよい。以下、天面破断線Ｌ２に沿って切り込み部が形成された天面１ａが天面折り曲げ線Ｌ３に沿って折り曲げられて形成される開口部を天面開口部１６（図３の（ａ）参照）と称し、天面破断線Ｌ２が形成される側、つまり、天面開口部１６の側を「開口側」と称する。
なお、対向する２つの天面横方向端辺１２ａの両方に天面破断線Ｌ２および天面折り曲げ線Ｌ３が形成されて天面開口部１６が開口する構成であってもよい。
【００３０】
ちなみに、第１稜線１１ａとなる天面１ａの端辺側は、貼り合せ面１ｄ（平面Ｓ４）と天面１ａ（平面Ｓ１）との貼着を剥がすことによって、利用者が容易に天面開口部１６（図３の（ａ）参照）を開くことができるため破断線は不必要となる。
【００３１】
また、天面破断線Ｌ２は、第２稜線１１ｂとなる折り曲げ線Ｌ１ａと天面横方向端辺１２ａとなる折り曲げ線Ｌ１ｅとの交点でスリットＳＬと連続するように形成されること（つまり、天面フラップ１０ａとなる平面Ｓ１Ｆを通らないで形成されること）が好ましいが、製造誤差として、天面フラップ１０ａとなる平面Ｓ１Ｆをわずかに通ってスリットＳＬと連続するように形成されていてもよい。
例えば、利用者が天面開口部１６（図３の（ａ）参照）を容易に開くことができ、マルチパック３（図３の（ａ）参照）を容易に取り出すことができる範囲であれば、平面Ｓ１Ｆをわずかに通る天面破断線Ｌ２であってもよい。
【００３２】
そして、図３の（ａ）に示すように、利用者が開口側の天面フラップ１０ａを開くときに縦方向Ｌｎに力を加えることによって、天面折り曲げ線Ｌ３まで天面破断線Ｌ２に沿って容易に切り込み部を形成することができ、さらに、第１稜線１１ａ側は天面１ａと貼り合せ面１ｄの貼着が容易に剥がせる構成とすれば、利用者は天面１ａを天面折り曲げ線Ｌ３で外方に向かって容易に折り曲げて天面開口部１６を開くことができる。そして、天面１ａの側にマルチパック３を露出して取り出すことができる。
【００３３】
このとき、本実施形態においては、図２に示すように天面破断線Ｌ２が天面フラップ１０ａとなる平面Ｓ１Ｆを通っていないため天面フラップ１０ａは破断されない。したがって、利用者は天面フラップ１０ａを破断するための力が不要となる。また、接合部が形成されている第１稜線１１ａ側は、天面１ａと貼り合せ面１ｄ（側面１ｃ）との糊付け（貼着）を剥がすだけであって切り込み部を形成する必要はない。したがって、利用者は１つの天面破断線Ｌ２で天面フラップ１０ａを破断することなく天面１ａの側に切り込み部を形成するだけで容易に天面開口部１６を開くことができる。
【００３４】
また、図２に示す、天面破断線Ｌ２と折り曲げ線Ｌ１ａのなす第１角度θ１が大きいと天面破断線Ｌ２が横方向Ｓｉ側に傾斜した構成となる。この場合、利用者は天面破断線Ｌ２に沿って切り込み部を形成するときには天面フラップ１０ａを横方向Ｓｉにねじるように動作することになり、天面破断線Ｌ２に沿った切り込み部を天面１ａに容易に形成できない。特に第１角度θ１が４５度以上になると、天面フラップ１０ａを縦方向Ｌｎに引く動作量より横方向Ｓｉにねじる動作量が多くなり、天面破断線Ｌ２に沿って切り込み部を形成する作業の容易性が低くなる。
【００３５】
したがって、天面破断線Ｌ２と折り曲げ線Ｌ１ａのなす第１角度θ１は４５度以下であることが好ましく、その第１角度θ１は小さいほうが好ましい。
【００３６】
また、天面破断線Ｌ２と折り曲げ線Ｌ１ａがなす第１角度θ１が０度以上であると、図３の（ａ）に示すように、天面破断線Ｌ２に沿った天面折り曲げ線Ｌ３までの切り込み部が天面１ａに形成されたとき、側面１ｃは、天面１ａの側に折れ曲がる、第１角度θ１を頂角とするリブ状部１ｅで補強される。この構成によって、天面開口部１６が開いた状態であっても側面１ｃがリブ状部１ｅによって補強されることになり、ひいては、梱包箱１が補強される。
以上のことから、天面破断線Ｌ２と折り曲げ線Ｌ１ａがなす第１角度θ１は０度より大きく４５度より小さいことが好ましい。例えば、実験計測等によって第１角度θ１が３０度より小さいとき、より好適には２５度のとき、更に好適には２０度のとき、利用者が天面１ａに切り込み部を容易に形成できることがわかった。
【００３７】
また、前記したようにマルチパック３の包装材３ａには２穴のフィンガーホール３ｂが開口しており、フィンガーホール３ｂが天面１ａに向けられた状態で、かつ、２穴のフィンガーホール３ｂが縦方向Ｌｎに並ぶようにマルチパック３が梱包箱１に収納される。したがって、フィンガーホール３ｂの少なくとも１つが天面１ａの側に露出するように天面開口部１６が開く構成とすれば、利用者は露出したフィンガーホール３ｂに指を掛けてマルチパック３を梱包箱１から容易に取り出すことができる。
【００３８】
例えば、縦方向Ｌｎに並ぶ２つのフィンガーホール３ｂのうち、開口側に配置される１穴の少なくとも一部が露出するように天面開口部１６が開く構成とすれば、利用者は天面開口部１６を開いて容易にマルチパック３を取り出すことができる。
天面開口部１６が開いたときにマルチパック３の天面１ａ側の全面が露出する構成とすればフィンガーホール３ｂを天面１ａの側に露出できる。しかしながら、天面１ａの側にマルチパック３の全面が露出すると当該マルチパック３は天面１ａによって支持されなくなり、当該マルチパック３は梱包箱１に好適に収納されなくなる。したがって、天面開口部１６はマルチパック３の天面１ａ側の全面が露出しない程度に開くことが好ましい。
【００３９】
前記したように、４つのマルチパック３が収納される梱包箱１の場合、縦方向Ｌｎに２段、横方向Ｓｉに２列に収納されることが一般的である。
例えば、開口側に配置されるマルチパック３は縦方向Ｌｎの略中央部に重心があるため、天面横方向端辺１２ａから当該マルチパック３の中央部を超えて天面開口部１６が開くと、そのマルチパック３の重心が天面１ａで支持されず不安定な状態になる。換言すると、当該マルチパック３が梱包箱１（図１の（ａ）参照）によって好適に収納されない状態となる。
【００４０】
縦方向Ｌｎに２段にマルチパック３が配置される場合、開口側に配置されるマルチパック３（第１段とする）の、縦方向Ｌｎの中央部は天面横方向端辺１２ａから天面１ａの縦方向Ｌｎの長さの１／４に位置する。
このことから、天面開口部１６が天面１ａの縦方向Ｌｎの長さの１／４の長さまで開く構成とすると、縦方向Ｌｎに開口側と反対側に収納されるマルチパック３（第２段とする）は周囲を天面１ａ、底面１ｂ、２つの側面１ｃで支持されて好適に収納される。また、天面開口部１６が開いた状態であっても、第１段目のマルチパック３は、底面１ｂ、２つの側面１ｃで支持され、さらに、天面１ａの側は縦方向Ｌｎの長さの１／２の位置（重心の位置）が天面１ａで支持されて好適に収納される。
【００４１】
つまり、天面折り曲げ線Ｌ３が、天面横方向端辺１２ａ（天面フラップ１０ａが備わる天面１ａの端辺）から、天面１ａの縦方向Ｌｎの長さの１／４以下となる位置に形成されている構成が好ましい。
この構成によると、天面開口部１６が開いた状態であっても、第１段目、第２段目ともマルチパック３の重心は天面１ａ、底面１ｂ、２つの側面１ｃで周囲から支持されて安定した状態でマルチパック３が梱包箱１に収納される。
つまり、天面開口部１６が開いた状態であっても、梱包箱１は４つのマルチパック３の全てを好適に安定した状態で収納でき、梱包箱１に収納されるマルチパック３の収納状態を維持できる。
【００４２】
また、６缶の缶入り製品２が１つにまとめられたマルチパック３の場合、缶入り製品２は、梱包箱１への収納時に天面１ａの縦方向Ｌｎとなる方向に３段に配置されることが多い。フィンガーホール３ｂは缶入り製品２と缶入り製品２の間に形成されるため、包装材３ａにおいては、梱包箱１への収納時に縦方向Ｌｎとなる方向の１／３の位置にフィンガーホール３ｂが形成される。そして、縦方向Ｌｎに２段にマルチパック３が配置される場合、第１段目に配置されるマルチパック３の、縦方向Ｌｎに１／３の位置は天面横方向端辺１２ａから天面１ａの縦方向Ｌｎの長さの１／６に位置する。このことから、天面開口部１６が天面１ａの縦方向Ｌｎの長さの１／６以上開く構成とすると、第１段目に収納された包装材３ａに形成されるフィンガーホール３ｂの少なくとも一部を天面１ａの側に露出できる。
つまり、縦方向Ｌｎの長さの１／６以上１／４以下となる位置に天面折り曲げ線Ｌ３が形成される構成であることが好ましい。この構成によって、天面開口部１６が開いたときに、第１段目に配置されるマルチパック３のフィンガーホール３ｂの少なくとも一部を梱包箱１の天面１ａの側に好適に露出でき、さらに、第１段目に配置されるマルチパック３を天面１ａで好適に支持できる。
【００４３】
なお、マルチパック３が縦方向Ｌｎに３段以上に収納される場合や、収納品がマルチパック３でない場合は、最も開口側に配置されるマルチパック３（収納品）の重心の位置が天面１ａで支持される構成とすればよい。
【００４４】
以上のことから、本実施形態に係る梱包箱１（図１の（ａ）参照）においては縦方向Ｌｎに２段のマルチパック３が収納され、天面開口部１６が天面横方向端辺１２ａ（図２参照）から天面１ａの縦方向Ｌｎの長さの１／４以下となる位置まで開く構成が好ましい。
つまり、開口側の天面横方向端辺１２ａから、天面１ａ（梱包箱１）の縦方向Ｌｎの長さの１／４以下の長さとなる距離に天面折り曲げ線Ｌ３が形成され、天面破断線Ｌ２の縦方向Ｌｎの長さが、天面１ａの縦方向Ｌｎの長さの１／４以下に形成されることが好ましい。また、天面破断線Ｌ２の縦方向Ｌｎの長さが天面１ａの縦方向Ｌｎの長さの１／６以上に形成され、第１段目のマルチパック３の包装材３ａに開口しているフィンガーホール３ｂの少なくとも一部が天面１ａの側に露出するように天面開口部１６が開く構成がさらに好ましい。
【００４５】
また、図２に示すように、底面１ｂとなる平面Ｓ２にも開口側から延びるミシン目からなる２本の破断線（底面破断線Ｌ４）が形成されることが好ましい。つまり、底面破断線Ｌ４は縦方向Ｌｎにおいて天面破断線Ｌ２と同じ側に形成されることが好ましい。
底面破断線Ｌ４は、底面横方向端辺１２ｂとなる折り曲げ線Ｌ１ｆと、底面側稜線１１ｃとなる折り曲げ線Ｌ１ｂ、Ｌ１ｃと、の交点におけるスリットＳＬの端部から平面Ｓ２上に延びる２本の直線であり、それぞれ折り曲げ線Ｌ１ｂ、Ｌ１ｃと所定の角度（この角度を第２角度θ２と称する）をなしていることが好ましい。つまり、底面破断線Ｌ４は、縦方向Ｌｎ（底面側稜線１１ｃ）に対して所定の第２角度θ２をなして形成されることが好ましい。
【００４６】
底面破断線Ｌ４が折り曲げ線Ｌ１ｂ、Ｌ１ｃとなす第２角度θ２は、天面破断線Ｌ２が折り曲げ線Ｌ１ａとなす第１角度θ１と同じであってもよいし、異なる角度であってもよいが、第１角度θ１と同じ理由によって０度より大きく４５度より小さいこと、好適には３０度より小さいこと、より好適には２０度であることが好ましい。
また、底面破断線Ｌ４は、底面側稜線１１ｃとなる折り曲げ線Ｌ１ｂ、Ｌ１ｃと底面横方向端辺１２ｂとなる折り曲げ線Ｌ１ｆとの交点でスリットＳＬと連続するように形成されること（つまり、底面フラップ１０ｂとなる平面Ｓ２Ｆを通らないで形成されること）が好ましいが、製造誤差として、底面フラップ１０ｂとなる平面Ｓ２Ｆをわずかに通ってスリットＳＬと連続するように形成されていてもよい。例えば天面破断線Ｌ２と同様に、利用者が底面１ｂを容易に開くことができ、マルチパック３（図３の（ａ）参照）を容易に取り出すことができる範囲であれば、平面Ｓ２Ｆをわずかに通る底面破断線Ｌ４であってもよい。
【００４７】
また、底面１ｂの側にマルチパック３のフィンガーホール３ｂ（図３の（ａ）参照）は形成されず、底面１ｂは縦方向Ｌｎにフィンガーホール３ｂの位置まで開かれる必要はない。つまり、マルチパック３の包装材３ａの端部が底面１ｂの側で露出する程度に底面１ｂが開く構成とすれば、利用者は底面１ｂの側から露出した包装材３ａをつかむことでマルチパック３を梱包箱１から容易に取り出すことができる。このことから、底面１ｂとなる平面Ｓ２に形成される底面破断線Ｌ４の縦方向Ｌｎの長さは、天面１ａとなる平面Ｓ２に形成される天面破断線Ｌ２の縦方向Ｌｎの長さより短くてよい。
またこのように、底面１ｂとなる平面Ｓ２に形成される底面破断線Ｌ４の縦方向Ｌｎの長さが天面破断線Ｌ２の縦方向Ｌｎの長さより短いことによって底面１ｂの開口量が少なくなり、梱包箱１の強度を好適に維持できる。
【００４８】
また、図１の（ｂ）に示すように、缶入り製品２の箱詰め工程においてマルチパック３は、押し込み機構１００によって押し込まれて底面１ｂ上を滑るように進行する。したがって底面１ｂにミシン目が形成されると、このミシン目がマルチパック３の進行に対する抵抗となって包装材３ａが破損する場合がある。
本実施形態においては、図２に示すように、底面１ｂ（平面Ｓ２）に形成される底面破断線Ｌ４の長さを短くすることによって、缶入り製品２の製造工程における包装材３ａの進行に対する抵抗を小さくすることができる。
【００４９】
また、底面１ｂの縦方向Ｌｎへの開口が少ないため、マルチパック３と底面１ｂとの接触面積を大きくすることができ、マルチパック３が好適に収納される。つまり、マルチパック３の収納状態が好適に維持される。
【００５０】
以上のように本実施形態に係る梱包箱１は、図３の（ａ）に示すように、天面１ａの開口側に、第２稜線１１ｂの側から第１稜線１１ａに至るまで、横方向Ｓｉに沿って直線状に形成される天面折り曲げ線Ｌ３と、天面フラップ１０ａと第２稜線１１ｂ側のサイドフラップ１０ｃの間に形成されるスリットＳＬ（図２参照）から天面折り曲げ線Ｌ３まで、切り込み部を形成するための天面破断線Ｌ２と、を有することを特徴とする。
【００５１】
この構成によると、利用者は、天面フラップ１０ａを破断することなく、天面折り曲げ線Ｌ３まで天面破断線Ｌ２に沿った切り込み部を天面１ａに形成することができる。そして、利用者は天面折り曲げ線Ｌ３で天面１ａを容易に折り曲げて天面開口部１６を開くことができ、第１段目に収納されているマルチパック３を天面１ａの側に露出させて容易に梱包箱１から取り出すことができる。
また、天面破断線Ｌ２の縦方向Ｌｎの長さを、収納されるマルチパック３の縦方向Ｌｎの長さの１／２より短くすることによって、天面開口部１６が開いた状態であっても全てのマルチパック３の収納状態を好適に維持することができる。
さらに、第１段目に収納されるマルチパック３の包装材３ａに形成されるフィンガーホール３ｂの少なくとも一部が天面１ａの側に露出するように天面開口部１６が開く構成とすれば、利用者は天面１ａを折り曲げて天面開口部１６を開き、フィンガーホール３ｂに指等を差し込んで容易にマルチパック３を梱包箱１から取り出すことができる。
【００５２】
また、底面１ｂ（図３の（ｂ）参照）の開口側にも底面破断線Ｌ４が形成されており、利用者は底面破断線Ｌ４に沿って底面１ｂに切り込み部を容易に形成でき、マルチパック３を底面１ｂの側に容易に露出させることができる。この構成によって、利用者は底面１ｂの側からもマルチパック３の包装材３ａを容易につかむことができ、マルチパック３を梱包箱１から、さらに容易に取り出すことができる。
【００５３】
なお、図４に示すように、天面破断線Ｌ２は、天面フラップ１０ａとサイドフラップ１０ｃの間に形成されるスリットＳＬの、天面横方向端辺１２ａ側の端部と連続して形成されることが好ましい。
スリットＳＬの端部はダンボール材が薄く形成される折り曲げ線Ｌ１（Ｌ１ａ、Ｌ１ｅ）が集中する部分であって強度が低くなっているため、この部分に連続して天面破断線Ｌ２が形成されると、利用者は天面１ａに、天面破断線Ｌ２に沿った切り込み部を容易に形成できる。
同様に、底面破断線Ｌ４（図２参照）も、底面フラップ１０ｂ（図２参照）とサイドフラップ１０ｃの間に形成されるスリットＳＬの、底面横方向端辺１２ｂ側の端部と連続して形成されることが好ましい。
【符号の説明】
【００５４】
１      梱包箱（ラップアラウンド式の梱包箱）
１ａ    天面
１ｂ    底面
１ｃ    側面
３      マルチパック（収納品）
３ａ    包装材
３ｂ    フィンガーホール（手持用孔）
１０ａ  天面フラップ
１０ｂ  底面フラップ
１０ｃ  サイドフラップ
１１ａ  第１稜線（接合部となる稜線）
１１ｂ  第２稜線（他の稜線）
１１ｃ  底面側稜線
１６    天面開口部
Ｌ１    折り曲げ線
Ｌ２    天面破断線
Ｌ３    天面折り曲げ線
Ｌ４    底面破断線
ＳＬ    スリット
θ１    第１角度
θ２    第２角度
【図１】
0005877019.tif 000002
【図２】
0005877019.tif 000003
【図３】
0005877019.tif 000004
【図４】
0005877019.tif 000005